(57)【要約】 【課題】本発明は、紙コップ等の簡易容器、プラスチック等の軽量容器が風やちょっとした振動での転倒を防ぎ、また冷たい飲み物を入れておくときにできる水滴をカップの底に敷いた吸湿のコースターまで誘導し、また複数個重ねることでコンパクトに収納でき、また形状や色を変えることで他人のものとの混同を避けることのできるカップホルダーを提供する。【解決手段】本発明は、カップ状の容器を保持するカップホルダー１であって、前記カップ状の容器２の底部の外側壁を保持する環状の帯状体３と、前記帯状体３の下端から外方に伸びる転倒防止部４を設け、前記帯状体３の上端よりカップホルダー中央に向かって伸びるカップ保持部６を設けたことを特徴とする。【選択図】  図1
2020065822.tif 000002
【特許請求の範囲】
【請求項１】
カップ状の容器を保持するカップホルダーであって、前記カップ状の容器の底部の外側壁を保持する環状の帯状体と、前記帯状体の下端から外方に伸びる転倒防止部を設けたことを特徴とするカップホルダー。
【請求項２】
前記転倒防止部の外周端は、径方向に凹凸が形成されたことを特徴とする請求項１記載のカップホルダー。
【請求項３】
前記帯状体の上端よりカップホルダー中央に向かって伸びるカップ保持部を設けたことを特徴とする請求項１又は２に記載のカップホルダー。
【請求項４】
前記カップ保持部の上面に、突起が形成されたことを特徴とする請求項１から３のいずれか１項に記載のカップホルダー。
【請求項５】
前記帯状体の内面壁から径方向に突出する複数の凸部を有することを特徴とする請求項１又は２に記載のカップホルダー。
【発明の詳細な説明】
【技術分野】
【０００１】
本発明は、容器の転倒を防止するカップホルダーに関するものである。
【背景技術】
【０００２】
従来、紙コップ、プラスチックコップ等の簡易容器の転倒防止のホルダーや容器に付いた結露などの水分を吸い取るためのコースターがあった。
【０００３】
特許文献１に示す簡易容器の転倒を防止するホルダー式コースターや、特許文献２に示す紙コップ等転倒防止の立体コースターや特許文献３に示すカップホルダーが開示されている。
【０００４】
本来、使い捨ての簡易容器は、キャンプやパーティなどの大勢の席で使うことが多いためカップホルダーはコンパクトに収納できる方がよい。ところが、特許文献１のホルダーコースターは、重ねることができないため嵩張る。また、プラスチックの簡易容器に冷たい飲み物を入れておくと容器表面にできた水滴が、容器表面から流れ落ちホルダーコースターに溜り、コップを持ち上げたときに、水滴がコースターより落ち服が濡れる恐れがある。また、少しサイズの違う容器には対応できず、サイズごとにコースターを作る必要があり不経済である。
【０００５】
また、特許文献２の紙コップ等転倒防止の立体コースターは、湾曲状の本体と差し込み用穴のスポンジ状のシートから成り、使用材料が２種類必要となりコストが高くなる。
【０００６】
また、特許文献３のカップホルダーは、取手を備えているため重ねて収納すると嵩張る。また、容器の底部の面積とカップホルダーの底部の面積がほぼ同じであるため転倒の恐れがある。また、構造が複雑なため製造コストが高くなる。
【先行技術文献】
【特許文献】
【０００７】
【特許文献１】特開２００５-２６３２４９
【特許文献２】特開２００６-２１８２６５
【特許文献３】特開２００２-１５３３６９
【発明の概要】
【発明が解決しようとする課題】
【０００８】
本発明は、上記のような課題を解決し、紙コップ等の簡易容器、プラスチック等の軽量容器が風やちょっとした振動での転倒を防ぎ、また冷たい飲み物を入れておくときにできる水滴をカップの底に敷いた吸湿のコースターまで誘導し、また複数個重ねることでコンパクトにでき、また形状や色を変えることで他人のものとの混同を避けることのできる製造コストを抑えたカップホルダーを提供しようとするものである。
【課題を解決するための手段】
【０００９】
上記課題を解決するために、本発明は、カップ状の容器を保持するカップホルダーであって、前記カップ状の容器の底部の外側壁を保持する環状の帯状体と、前記帯状体の下端から外方に伸びる転倒防止部を設けたことを特徴とするものである。
【発明の効果】
【００１０】
本発明のカップホルダーを紙コップ、プラスチック等の簡易容器に装着することで、屋外
でのパーティで風や振動、不安定な場所での転倒を防ぐことができる。また屋内での会議で書類がある席でコップが安定し転倒しにくいことで安心できる。また冷たい飲み物を入れておくときにできる水滴をカップの底に敷いたコースターまで誘導することでカップから水滴が落ち服を濡らすことを防ぎ、また形状や色を変えることで他人のものとの混同を避けることがきる。また簡易容器に熱い飲み物や冷たい飲み物を入れた場合に、カップホルダーを装着してカップホルダーの帯状体部分を持つことで指に熱が伝わらない。
【図面の簡単な説明】
【００１１】
【図１】本発明の実施形態１におけるカップホルダーの平面図である。
【図２】同実施形態１におけるカップホルダーにカップを装着した側面図である。
【図３】同実施形態１におけるカップホルダーの断面図である。
【図４】同実施形態２におけるカップホルダーの断面図である。
【図５】同実施形態３におけるカップホルダーの平面図である。
【図６】同実施形態３におけるカップホルダーの断面図である。
【図７】同実施形態３におけるカップホルダーにカップを装着した断面図である。
【図８】同実施形態３におけるカップホルダーに大きいカップを装着した断面図である。
【図９】同実施形態４におけるカップホルダーの平面図である。
【図１０】同実施形態４におけるカップホルダーの断面図である。
【図１１】実施形態５におけるカップホルダーの平面図である。
【図１２】カップホルダーにカップを装着し傾けた斜視図である。
【発明を実施するための形態】
【００１２】
以下、本発明の実施形態について図面を参照して説明する。
【００１３】
図１は、本発明の実施形態１のカップホルダーの平面図である。帯状体３の下端から外方に伸びる転倒防止部４を設けている。転倒防止部４は、平面視で半円状の転倒防止部材が周方向に連続して連なっている。また、この図では転倒防止部４に小孔７を設けている。カップホルダーそれぞれに様々な模様や色をつけることでパーティなど大勢の場で使用するときに他人の飲み物との混同を避けることができる。また、帯状体３の上端よりカップホルダー中央の向かって伸びるカップ保持部６が複数設けられている。また、カップホルダーの材質は、樹脂又は紙などを用いることができる。
【００１４】
図２は、本発明の実施形態１のカップホルダー１に容器２を装着した側面図である。帯状体３は上端より底部に向かってテーパー状に広がっている。また、カップホルダー１は弾性摩擦抵抗のある樹脂で成形し、また帯状体上端とカップ保持部６との結合部５の厚みを薄くすることで、容器２を装着するときにカップ保持部６が容器底部に押され下方に折れ曲がりカップ保持部６が容器２の外周壁面に接触し、容器２がカップホルダー１に密着する。また、カップ保持部６が元の状態に戻ろうとする力により、さらにカップ保持部６が容器２に強く密着し安定する。
【００１５】
図３は、本発明の実施形態１のカップホルダー１の断面図である。テーパー状の帯状体３の下端から外方に伸びる転倒防止部４が設けられ、帯状体上端よりカップホルダー中央に向かってカップ保持部６が設けられている。またカップ保持部６を弾性のある材質にすることで容器挿入時はカップ保持部６が下方に押し下げられているが容器を外すと元の水平方向の状態に戻る。このことにより複数のカップホルダーを重ねてコンパクトにでき収納に場所をとらない。
【００１６】
図４は、本発明の実施形態２のカップホルダー1の断面図である。テーパー状の帯状体３の下端から外方に伸びる転倒防止部４が設けられ、帯状体上端よりカップホルダー中央に向かって伸びるカップ保持部６が設けられている。カップ保持部６は複数のカップ保持部
からなる。カップ保持部６は板状で且つ平面視台形状となっている。更に側面視において上方に膨らむように湾曲している。湾曲することにより、容器２を装着したとき、湾曲部が押えられ元の状態に戻ろうとする力でより強く容器の外周壁面を押えることができ、さらにサイズが多少異なる容器にも対応可能になる。
【００１７】
図５は、本発明の実施形態３のカップホルダー１の平面図である。帯状体３の下端から外方に伸びる転倒防止部４を設けている。また、帯状体３の上端よりカップホルダー中央の向かって伸びるカップ保持部６が複数設けられている。カップ保持部６の上面には、突起９を設けている。
【００１８】
図６は、本発明の実施形態３のカップホルダー１の断面図である。帯状体上端よりカップホルダー中央に向かって伸びるカップ保持部６が設けられ、カップ保持部６の上面には突起９が設けられている。この突起９は外周部より内周部の方向に高くなっている。
【００１９】
図７は、本発明の実施形態３のカップホルダー１に容器２を装着した断面図である。弾性摩擦抵抗のあるカップ保持部６が容器装着時に下方に折れ曲がって容器外周壁面に接触し容器２がカップ保持部６に密着する。帯状体上部とカップ保持部６の結合部５の厚みを薄くすることでスムーズにカップ保持部６が折れ曲がる。突起９は外周部より内周部の方向に高くなっていることで容器２をスムーズに挿入できる。また、突起９があることで帯状体上端と容器外周壁面の間に空間ができ、且つ突起９と突起９の間にも空間があることにより、容器２に付いた水滴が容器外周壁面より下方に伝って突起９と突起９の間の空間を通ってカップホルダー１の下に敷いたコースター１０まで誘導されコースター１０に吸水される。このことにより容器２を持ち上げたときに水滴が落ちて服が濡れることを防ぐ。また、手で帯状体３を持つことで容器の熱が指に伝わりにくくなる。
【００２０】
図８は本発明の実施形態３のカップホルダー１に大きい容器２を装着した断面図である。カップ保持部６が帯状体３の内周面に接するまで折れ曲がっている。帯状体３がテーパー状になっていることで突起９が帯状体３と容器外周壁面の間の空間に納まることで大きい容器でも使用することができる。
【００２１】
図９は、本発明の実施形態４のカップホルダーの平面図である。帯状体３の下端から外方に伸びる転倒防止部４を設けている。転倒防止部４の形状は、この図では角形としているが、転倒防止部４の外周端が径方向に凹凸形状であればよい。また、帯状体の内面壁に径方向に複数の凸部を設けている。凸部は、下方に向かって膨らみをもたせてもよい。
【００２２】
図１０は、本発明の実施形態４のカップホルダーの断面図である。帯状体の下端から外方に伸びる転倒防止部４を設け、帯状体３の内面壁に径方向に凸部１１を複数設けている。凸部１１は帯状体上端より少し下の位置に設けることにより、帯状体上端と容器２の間に空間ができ、容器２に付いた水滴が容器外周壁面より下方に伝って帯状体３の内面壁凸部１１と凸部１１の間を通ってカップホルダー１の下に敷いたコースター１０まで誘導されコースター１０に吸水される。
【００２３】
図１１は、本発明の実施形態５のカップホルダーの平面図である。転倒防止部４は複数の転倒防止部材からなる。転倒防止部材は周方向に間隔をあけて設けられている。この図では転倒防止部材は６ヶ所としているが３ヶ所以上であれば何カ所でもよい。また、転倒防止部は１個のリング状の部材からなってもよい。また、板状でなく、立体形状でもよい。
【００２４】
図１２は、本発明のカップホルダー１に容器２を装着し、傾けた斜視図である。傾けたとき転倒防止部材の２ヶ所の支点８で支えることになりカップホルダーが回転せず安定する。
【符号の説明】
【００２５】
１    カップホルダー
２    容器
３    帯状体
４    転倒防止部
５    結合部
６    カップ保持部
７    小孔
８    支点
９    突起
１０  コースター
１１  凸部
【図１】
2020065822.tif 000003
【図２】
2020065822.tif 000004
【図３】
2020065822.tif 000005
【図４】
2020065822.tif 000006
【図５】
2020065822.tif 000007
【図６】
2020065822.tif 000008
【図７】
2020065822.tif 000009
【図８】
2020065822.tif 000010
【図９】
2020065822.tif 000011
【図１０】
2020065822.tif 000012
【図１１】
2020065822.tif 000013
【図１２】
2020065822.tif 000014